(57)【要約】【課題】用途に応じて電解水や消毒水等を使用すると共に、使用後の排水を再利用する電解水ならびに水または消毒薬添加水溶液循環システムを提供する。【解決手段】電解水循環システム１は、電解水生成機２と、酸性水等を人や物品等の消毒水として使用する消毒室３と、消毒室３から排出される排水とアルカリ性水とを貯留する貯留タンク４と、貯留タンク４内の混合水を浄水する浄水器５と、浄水した中性水を貯留する浄水タンク６とから構成されている。電解生成機２で生成された酸性水または次亜塩素酸ナトリウム水を消毒室３で使用した後の排水と酸性水と同時に生成されたアルカリ性水とを貯留タンク４に混入する。その後、この混合水が貯留タンク４から浄水器５に流入すると共に浄水器５で浄水され中性水となり浄水タンク６に貯留される。電解水が必要な時に浄水タンク６から中性水を電解水生成機２に流入させて、再び電解水を生成する。【選択図】　　　　図１
2004113970.tif 000002
【特許請求の範囲】
【請求項１】
水を電気分解することにより殺菌等を目的とした水溶液を生成する電解水生成機と、該電解水生成機で生成した酸性水、アルカリ性水または次亜塩素酸ナトリウム水のいずれかが供給される供給手段と、該供給手段で使用された酸性水、アルカリ性水または次亜塩素酸ナトリウム水のいずれかの使用済みの排水と前記電解水生成機で同時に生成された未使用の酸性水、アルカリ性水または次亜塩素酸ナトリウム水のいずれかとの混合水を貯留する貯留手段と、該貯留手段内の混合水を浄水する浄水器とを、閉回路を形成するように接続したことを特徴とする電解水循環システム。
【請求項２】
水を電気分解することにより殺菌等を目的とした水溶液を生成する電解水生成機と、該電解水生成機で生成した酸性水、アルカリ性水及び次亜塩素酸ナトリウム水のそれぞれが供給される供給手段と、それぞれの供給手段で使用された使用済みの各排水の混合水を貯留する貯留手段と、該貯留手段内の混合水を浄水する浄水器とを、閉回路を形成するように接続したことを特徴とする電解水循環システム。
【請求項３】
前記浄水器で浄水した水を貯留すると共に、前記浄水器と前記電解水生成機のそれぞれと連通する浄水タンクを備え、前記浄水器で浄水された水を、前記浄水器から前記浄水タンクを介して前記電解水生成機に導入することを特徴とする請求項１または２に記載の電解水循環システム。
【請求項４】
前記供給手段は、消毒手段として構成されること特徴とする請求項１〜３のいずれかに記載の電解水循環システム。
【請求項５】
前記供給手段は、消毒手段及び洗浄手段から構成され、前記消毒手段では前記電解水生成機で生成された酸性水または次亜塩素酸ナトリウム水を消毒水として使用すると共に、前記洗浄手段では、酸性水と同時に生成されたアルカリ性水を洗浄水として使用することを特徴とする請求項２または３に記載の電解水循環システム。
【請求項６】
移動可能なシステムであることを特徴とする請求項１〜５のいずれかに記載の電解水循環システム。
【請求項７】
水または水に消毒薬を添加した消毒水を貯留する消毒水貯留手段と、水または消毒水の供給手段と、該供給手段で使用された水または消毒水の使用済みの排水を貯留する貯留手段と、該貯留手段内の排水を浄水する浄水器とを、閉回路を形成するように接続したことを特徴とする水または消毒薬添加水溶液循環システム。
【発明の詳細な説明】
【０００１】
【発明の属する技術分野】
本発明は、電解水ならびに水または消毒薬添加水溶液循環システム、特に、電解水生成機により生成した電解水を用途に応じて使用して、使用後の排水を浄水器により浄水して電解水生成機に戻し再利用する電解水循環システム、ならびに、水または水に消毒薬を添加した消毒水を使用して、使用後の排水を浄水器により浄水して再利用する水または消毒薬添加水溶液循環システムに関するものである。
このような電解水ならびに水または消毒薬添加水溶液循環システムでは、使用後の排水は、最終的には河川や土壌に排出する場合があるが、分子レベルで濾過されているため環境汚染等の不具合を生じない。そして最後に浄水器のフィルタ等を殺菌することになる。
【０００２】
【従来の技術】
例えば地震や洪水等により、大きな災害が発生した場合に、被災者や汚染した物品等の消毒または洗浄のために、大量の水や消毒薬を含有した水が使用されており、被災者や物品等を消毒または洗浄した後の大量の排水（通常使用量約２０Ｌ〜４０Ｌ／分）が、洗浄剤や消毒薬等の有害物質を含んだまま排水処理されずに、そのまま土壌や河川等に排出される状態であった。そのため、有害物質である細菌や化学物質等が土壌や河川等に拡散して、ひいては環境汚染の拡大につながる虞があった。
【０００３】
また、人や物品等を消毒または洗浄する一手段として、電解水生成機で生成される酸性水またはアルカリ性水を使用する場合がある。例えば、特許文献１には、電解水生成機により電気分解して生成した電解水をシャワーノズルを介して噴射して、動物等の外傷の除菌や、体の洗浄を行う簡易型小型洗浄機が開示されている。
【０００４】
さらに、特許文献２には、電気分解の水処理装置によりアルカリ性水と酸性水とを生成して、アルカリ性水を用途に応じて使用中に、使用しない酸性水を原水と混合して電解を繰り返す電解水循環装置が開示されている。
【０００５】
【特許文献１】
特開２００２−８６０８１号公報
【特許文献２】
登録実用新案第３０１５８００号公報
【０００６】
【発明が解決しようとする課題】
上述したように、地震、火災、事故、洪水、火山噴火及び疫病等、さらにテロ等によるサリン等の化学製剤や天然痘ビールス等の生物製剤や放射性物質等が飛来した場合に、被災者や汚染した物質等の消毒や洗浄に際して、大量の水や被災者に適合した薬品等を水等に含有させて使用することになる。このようにして消毒や洗浄に使用された後、細菌や化学物質等を含んだ排水が、土壌や河川等に排出される可能性があり、環境汚染の拡大につながる虞がある。さらに、産業発展の過程での生成物であるダイオキシン、石綿等に関しても同様である。
【０００７】
また、特開２００２−８６０８１号公報の簡易型小型洗浄機及び登録実用新案第３０１５８００号公報の電解水循環装置のいずれも電解水生成機により生成した電解水を用途に応じて使用しているが、使用後の排水処理について考慮されていない。
【０００８】
本発明は、かかる点に鑑みてなされたものであり、電解水生成機により生成した電解水を用途に応じて使用すると共に、使用後の排水を再利用する電解水循環システム、ならびに水または水に消毒薬を添加した消毒水を使用して、その排水を再利用する水または消毒薬添加水溶液循環システムを提供することを目的とする。
【０００９】
【課題を解決するための手段】
本発明は、上記課題を解決するための手段として、請求項１に記載した電解水循環システムの発明は、水を電気分解することにより殺菌等を目的とした水溶液を生成する電解水生成機と、該電解水生成機で生成した酸性水、アルカリ性水または次亜塩素酸ナトリウム水のいずれかが供給される供給手段と、該供給手段で使用された酸性水、アルカリ性水または次亜塩素酸ナトリウム水のいずれかの使用済みの排水と前記電解水生成機で同時に生成された未使用の酸性水、アルカリ性水または次亜塩素酸ナトリウム水のいずれかとの混合水を貯留する貯留手段と、該貯留手段内の混合水を浄水する浄水器とを、閉回路を形成するように接続したことを特徴とするものである。
このように構成することにより、電解水生成機により生成された酸性水、アルカリ性水または次亜塩素酸ナトリウム水のいずれかを用途に応じて使用した後の排水と同時に生成された未使用の酸性水、アルカリ性水または次亜塩素酸ナトリウム水のいずれかとの混合水を貯留手段に混入すると共に、この貯留手段に混入した混合水を浄水器で浄水し再び電解水生成機に戻し再利用するので、限られた少量の水により目的とする機能を果すことが可能になると共に、使用後の汚染された排水が外部に排出されることがない。また、排水そのものが清浄化されているため、排水を外部に汚染の危険なく排出できる。
【００１０】
請求項２に記載した電解水循環システムの発明は、水を電気分解することにより殺菌等を目的とした水溶液を生成する電解水生成機と、該電解水生成機で生成した酸性水、アルカリ性水及び次亜塩素酸ナトリウム水のそれぞれが供給される供給手段と、それぞれの供給手段で使用された使用済みの各排水の混合水を貯留する貯留手段と、該貯留手段内の混合水を浄水する浄水器とを、閉回路を形成するように接続したことを特徴とするものである。
このように構成することにより、電解水生成機により生成された酸性水、アルカリ性水及び次亜塩素酸ナトリウム水のそれぞれを用途に応じて使用した後の使用済み各排水の混合水を貯留手段に混入すると共に、この貯留手段に混入した混合水を浄水器で浄水し再び電解水生成機に戻し再利用するので、限られた少量の水により目的とする機能を果すことが可能になると共に、使用後の汚染された排水が外部に排出されることがない。また、排水そのものが清浄化されているため、排水を外部に汚染の危険なく排出できる。
【００１１】
請求項３に記載した電解水循環システムの発明は、請求項１または２に記載した発明において、前記浄水器で浄水した水を貯留すると共に、前記浄水器と前記電解水生成機のそれぞれと連通する浄水タンクを備え、前記浄水器で浄水された水を、前記浄水器から前記浄水タンクを介して前記電解水生成機に導入することを特徴とするものである。
このように構成することにより、浄水器で浄水した水を、電解水生成機と浄水器と連通する浄水タンク内に一時的に貯留できるので、電解水の必要な時、所定量の水を浄水タンク内から電解水生成機に導入して、電解水を効率的に生成することができる。
【００１２】
請求項４に記載した電解水循環システムの発明は、請求項１〜３のいずれかに記載した発明において、前記供給手段は、消毒手段として構成されること特徴とするものである。
このように構成することにより、酸性水または次亜塩素酸ナトリウム水を、人や物品等を消毒する消毒手段として供給することができる。
【００１３】
請求項５に記載した電解水循環システムの発明は、請求項２または３に記載した発明において、前記供給手段は、消毒手段及び洗浄手段から構成され、前記消毒手段では前記電解水生成機で生成された酸性水または次亜塩素酸ナトリウム水を消毒水として使用すると共に、前記洗浄手段では酸性水と同時に生成されたアルカリ性水を洗浄水として使用することを特徴とするものである。
このように構成することにより、酸性水または次亜塩素酸ナトリウム水を、人や物品等を消毒する消毒手段として供給すると共に、酸性水と同時に生成されたアルカリ性水を、人や物品等を洗浄する洗浄手段として供給することができる。
【００１４】
請求項６に記載した電解水循環システムの発明は、請求項１〜５のいずれかに記載した発明において、移動可能なシステムであることを特徴とするものである。
このように構成することにより、人や物品等の消毒または洗浄が必要な場所に移動して処理することが可能であり、特に災害が発生した場所等に移動して汚染された被災者や物品等の消毒または洗浄が可能となる。
【００１５】
請求項７に記載した水または消毒薬添加水溶液循環システムの発明は、水または水に消毒薬を添加した消毒水を貯留する消毒水貯留手段と、水または消毒水の供給手段と、該供給手段で使用された水または消毒水の使用済みの排水を貯留する貯留手段と、該貯留手段内の排水を浄水する浄水器とを、閉回路を形成するように接続したことを特徴とするものである。
このように構成することにより、水または水に消毒薬を添加した消毒水を使用した使用済みの排水を貯留手段に導入すると共に、この貯留手段内の排水を浄水器で浄水し、浄水器から消毒水貯留手段に導入されて、この浄水に消毒薬を添加した消毒水または浄水のままで再利用するので、限られた少量の水により、人や物品等の消毒が可能になると共に、使用後の汚染された排水が外部に排出されることがない。また、排水そのものが清浄化されているため、排水を外部に汚染の危険なく排出できる。
【００１６】
【発明の実施の形態】
以下、本発明の実施の形態に係る電解水循環システムを図１及び図２に基いて詳細に説明する。
まず、本発明の実施の形態に係る電解水循環システムを図１に基いて詳細に説明する。図１は、本発明の実施の形態に係る電解水循環システムにおいて循環する電解水の流れを示す模式図である。
本発明の実施の形態に係る電解水循環システム１は、移動可能なシステムであって、図１に示すように、電解水を生成する電解水生成機２と、電解水生成機２で生成した酸性水または次亜塩素酸ナトリウム水を消毒水として供給する供給手段である消毒室（消毒手段）３と、この消毒室３から排出される排水と電解水生成機２で酸性水の生成と同時に生成された未使用のアルカリ性水との混合水を貯留する貯留タンク（貯留手段）４と、この貯留タンク４内に貯留する混合水を浄水する浄水器５と、この浄水器５により混合水を浄水した水を一時的に貯留する浄水タンク６とから概略構成されている。
【００１７】
電解水生成機２は、公知のように、一対の電極を設置した電解層に原水を流入すると共に、これら一対の電極に電流を流すことにより、この電解層内に酸性水とアルカリ性水がそれぞれ生成される。また、酸性水とアルカリ性水とを混合することにより次亜塩素酸ナトリウム水が生成される。図１では、酸性水または次亜塩素酸ナトリウム水の供給部を２ａ、アルカリ性水の供給部を２ｂで示す。
このように生成される酸性水または次亜塩素酸ナトリウム水は、主に重傷の被災者や汚染の状態がひどい物品等を消毒するための消毒水に使用されると共に、アルカリ性水は、主に比較的軽傷の被災者や汚染の状態が軽い物品等を洗浄する洗浄水として使用される。
【００１８】
消毒室３は、人や物品等を収容する形状に形成され、この消毒室３内に電解水生成機２で生成された酸性水または次亜塩素酸ナトリウム水が供給部２ａから消毒水として、例えばシャワーノズルを介して噴射される構成となっている。また、この消毒室３は、電解水生成機２の酸性水または次亜塩素酸ナトリウム水の供給部２ａと貯留タンク４のそれぞれと連通している。
貯留タンク４は、電解水生成機で生成した酸性水または次亜塩素酸ナトリウム水を消毒室３で消毒水として使用した排水と電解水生成機２で酸性水の生成と同時に生成した未使用のアルカリ性水との混合水を、所定の容量貯留できる形状に形成されている。また、この貯留タンク４は、消毒室３と電解水生成機２のアルカリ性水の供給部２ｂのそれぞれと連通すると共に、浄水器５とも連通している。
【００１９】
浄水器５は、例えば高性能ろ過機等で構成されると共に、貯留タンク４と浄水タンク６のそれぞれと連通している。
浄水タンク６は、混合水を浄水器５で浄水した水（浄水）を、所定の容量貯留できる形状に形成されており、浄水器５と電解水生成機２のそれぞれと連通している。
なお、本発明の実施の形態に係る電解水循環システムのそれぞれの各構成品を連通させる部材は、特に限定しないが、各種の水が所定の場所にスムーズに流動できる部材、例えば管状の部材で構成する方が好ましい。
【００２０】
次に、本発明の実施の形態に係る電解水循環システム１において、電解水生成機２で生成された電解水の流れ（循環経路）を図１に基いて説明する。図１に示す矢印Ａ〜Ｆは、各種の水の流れを示すものである。
まず、電解水生成機２で生成された酸性水または次亜塩素酸ナトリウム水は、矢印Ａに示すように、電解水生成機２の酸性水または次亜塩素酸ナトリウム水の供給部２ａから消毒室３に流入され、この消毒室３で、例えばシャワーノズルを介して噴射させて、人や物品等を消毒する消毒水として使用される。
次に、消毒室３で使用された酸性水または次亜塩素酸ナトリウム水の使用済み排水は、矢印Ｂに示すように、消毒室３から貯留タンク４に流入する。また、電解水生成機２で酸性水と同時に生成されたアルカリ性水は、矢印Ｃに示すように、そのままの状態で電解水生成機２のアルカリ性水の供給部２ｂから貯留タンク４に流入する。このように貯留タンク４には、酸性水または次亜塩素酸ナトリウム水を消毒水として使用した排水と、未使用のアルカリ性水とが混入した混合水として貯留する状態となる。
【００２１】
さらに、貯留タンク４に貯留された混合水は、矢印Ｄに示すように、貯留タンク４から浄水器５に流入して、この浄水器５により浄水される。この浄水は、矢印Ｅに示すように、浄水器５から浄水タンク６に流入して、この浄水タンク６に一時的に貯留される。
そして、電解水、ここでは酸性水または次亜塩素酸ナトリウム水が必要な時に、浄水タンク６に貯留している浄水の所定量が、矢印Ｆに示すように、浄水タンク６から電解水生成機２に流入して、電解水生成機２により再び所望の電解水が生成される。
なお、以上説明した各種の水を所定の場所へ圧送する手段は、図示していないがそれぞれの構成品の間にポンプ等を設置している。ここで、ポンプ等の性能、配置数及び配置場所等は、電解水循環システムの処理能力の大きさによって適宜決定されることになる。
【００２２】
以上説明した本発明の実施の形態に係る電解水循環システムによれば、電解水生成機により生成した酸性水または次亜塩素酸ナトリウム水を消毒室で人や物品等を消毒する消毒水として使用した排水と酸性水と同時に生成された未使用のアルカリ性水との混合水を貯留タンクに混入して、この貯留タンク内の混合水を浄水器を介して浄水となった状態で浄水タンクに貯留する。
そして、電解水が必要な時、この浄水タンクから所定量の浄水が電解水生成機に流入され、再び電解水が生成される。
【００２３】
このように構成することにより、使用した後の電解水の再利用が可能となり、特に災害現場等のおいて、限られた少量の水で、大勢の被災者や多量の物品等を消毒することが可能となる。しかも、使用後の排水を外部に排出しないので、環境の汚染を防ぐことができる。
さらに、本発明の実施の形態に係る電解水循環システムは、移動可能なシステムとして構成されているので、特に災害現場等に移動でき実用上有用である。
【００２４】
なお、以上本発明の実施の形態に係る電解水循環システムの構成品である電解水生成機により生成した酸性水または次亜塩素酸ナトリウム水を、人や物品等を主に消毒する目的に使用する形態を説明したが、酸性水または次亜塩素酸ナトリウム水ではなく、同時に生成されたアルカリ性水を、人や物品等を主に洗浄する目的の洗浄水として利用することも可能である。この形態では、アルカリ性水を洗浄水として使用した使用済みの排水と未使用の酸性水または次亜塩素酸ナトリウム水とを、貯留タンクに混入して、貯留タンク内の混合水を浄水器で浄水して浄水タンク及び電解水生成機に順次循環して、再び電解水が生成されることになる。
【００２５】
次に、本発明の他の実施の形態に係る電解水循環システムを図２に基いて説明する。なお、他の実施の形態の説明において、図１に示す実施の形態と同一構成品や相当する構成品は同一符号を使用して、その説明を適宜省略する。
本発明の他の実施の形態に係る電解水循環システム１０は、移動可能なシステムであって、図２に示すように、電解水を生成する電解水生成機２と、この電解水生成機２で生成された酸性水または次亜塩素酸ナトリウム水を消毒水として供給する供給手段である消毒室（消毒手段）３と、電解水生成機２で酸性水を生成すると同時に生成されたアルカリ性水を洗浄水として供給する供給手段である洗浄室（洗浄手段）７と、消毒室３から排出される使用済みの排水と洗浄室７から排出される使用済みの排水との混合水を貯留する貯留タンク４と、この貯留タンク４内に貯留する混合水を浄水する浄水器５と、この浄水器５により混合水を浄水した水を一時的に貯留する浄水タンク６とから概略構成されている。
【００２６】
この実施の形態では、電解水生成機２で生成された酸性水または次亜塩素酸ナトリウム水及びアルカリ性水の両方を用途に応じて使用し、使用後のそれぞれの排水を循環させ再利用する形態である。つまり、電解水生成機２で生成された酸性水または次亜塩素酸ナトリウム水の供給部２ａと連通する消毒室３と、電解水生成機２で生成されたアルカリ性水の供給部２ｂと連通する洗浄室７とをそれぞれ形成しており、これら消毒室３と洗浄室７のそれぞれは貯留タンク４と連通している。
この消毒室３は、図１に示す実施の形態と同様に、人や物品等を収容する形状に形成され、この消毒室３内は、電解水生成機２で生成された酸性水または次亜塩素酸ナトリウム水が供給部２ａから消毒水として、例えばシャワーノズルを介して噴射される構成となっている。
また、洗浄室７は、人や物品等を収容する形状に形成され、この洗浄室７内は、電解水生成機２で生成されたアルカリ性水が供給部２ｂから洗浄水として、例えばシャワーノズルを介して噴射される構成となっている。
【００２７】
貯留タンク４は、電解水生成機２で生成した酸性水または次亜塩素酸ナトリウム水を消毒水として使用した後に消毒室３から排出される排水と、電解水生成機２で酸性水と同時に生成したアルカリ性水を洗浄水として使用した後に洗浄室７から排出される排水との混合水を、所定の容量貯留できる形状に形成されている。この貯留タンク４は、消毒室３と洗浄室７のそれぞれと連通すると共に、浄水器５と連通している。
なお、他の構成品である電解水生成機２、浄水器５及び浄水タンク６は、図１に示す実施の形態と同様のためここでの説明を省略する。また、それぞれの各構成品を連通させる部材においても、図１に示す実施の形態と同様のためその説明を省略する。
【００２８】
次に、本発明の他の実施の形態に係る電解水循環システム１０において、電解水生成機２で生成された電解水の流れ（循環経路）を図２に基いて説明する。図２に示す矢印Ａ、Ｂ及びＤ〜Ｈは、各種の水の流れを示すものである。
まず、電解水生成機２で生成された酸性水または次亜塩素酸ナトリウム水は、矢印Ａに示すように、電解水生成機２の酸性水または次亜塩素酸ナトリウム水の供給部２ａから消毒室３に流入して、この消毒室３で、例えばシャワーノズルを介して噴射させて、人や物品等を消毒する消毒水として使用される。また、電解水生成機２で酸性水と同時に生成されたアルカリ性水は、矢印Ｇに示すように、電解水生成機２のアルカリ性水の供給部２ｂから洗浄室７に流入して、この洗浄室７で、例えばシャワーノズルを介して噴射させて、人や物品等を洗浄する洗浄水として使用される。
【００２９】
次に、消毒室３で使用された酸性水または次亜塩素酸ナトリウム水の使用済みの排水は、矢印Ｂに示すように、消毒室３から貯留タンク４に流入すると共に、洗浄室７で使用されたアルカリ性水の使用済みの排水は、矢印Ｈに示すように、洗浄室７から貯留タンク４に流入する。このように貯留タンク４内には、酸性水または次亜塩素酸ナトリウム水を消毒水として使用した排水と、アルカリ性水を洗浄水として使用した排水とが混入して貯留する状態となる。
【００３０】
さらに、貯留タンク４に貯留された混合水は、矢印Ｄに示すように、貯留タンク４から浄水器５に流入して、この浄水器５により浄水される。この浄水は、矢印Ｅに示すように、浄水器５から浄水タンク６に流入して、浄水タンク６に一時的に貯留される。
そして、電解水が必要な時に、浄水タンク６に貯留している浄水の所定量を、矢印Ｆに示すように、浄水タンク６から電解水生成機２に流入して、電解水生成機２により再び所望の電解水が生成される。
なお、他の実施の形態に係る電解水循環システムにおいても、各種の水を所定の場所へ圧送するポンプ等は、図１に示す形態と同様に、電解水循環システムの処理能力の大きさにより、その性能、配置数及び配置場所等が適宜決定されることになる。
【００３１】
以上説明した本発明の他の実施の形態に係る電解水循環システムによれば、電解水生成機により生成した酸性水または次亜塩素酸ナトリウム水を消毒室で人や物品等を消毒する消毒水として使用した排水と、酸性水と同時に生成されたアルカリ性水を洗浄室で人や物品等を洗浄する洗浄水として使用した排水のそれぞれを貯留タンクに混入して、この貯留タンク内の混合水を浄水器を介して浄水となった状態で浄水タンクに貯留する。
そして、電解水が必要な時、この浄水タンクから所定量の浄水が電解水生成機に流入され、再び電解水が生成される。
【００３２】
このように構成することにより、使用した電解水を再び使用することが可能となり、特に災害現場等において、限られた少量の水で、被災者や物品等の汚染の程度を考慮して、大勢の被災者や多量の物品の消毒または洗浄を同時に行うことができ更に効果的である。しかも、使用後の各排水を外部に排出しないので、環境の汚染を防ぐことができる。
さらに、図１に示す実施の形態と同様に、この実施の形態に係る電解水循環システムにおいても移動可能なシステムとして構成されているので、特に災害現場等に移動でき実用上有用である。
なお、図２に示す実施の形態では、酸性水または次亜塩素酸ナトリウム水の供給部２ａを消毒室３に連通させる形態を説明したが、酸性水または次亜塩素酸ナトリウム水の供給部２ａをそれぞれ設けて、それぞれの供給部２ａにそれぞれ消毒室３を連通させてもよい。
【００３３】
以上、電解水を使用することにより人や物品等を消毒または洗浄する実施の形態を説明したが、その他の実施の形態として、水または水に消毒薬を添加した消毒水を使用して、人や物品等を消毒する形態を次に説明する。なお、この実施の形態の説明において、図１及び図２に示す実施の形態に係る電解水循環システムと同一構成品や相当する構成品は同一符号を使用して、その説明を適宜省略する。
この実施の形態に係る水または消毒薬添加水溶液循環システムは、水または水に消毒薬を添加した消毒水を使用して、その使用済み排水を循環させて再利用する形態であり、図１に示す電解水循環システムを参照して説明すると、水または消毒薬を添加した消毒水を貯留する消毒水貯留手段である消毒水貯留タンク（図示省略）と、この水または消毒水を供給する供給手段である消毒室３と、この消毒室３から排出される排水を貯留する貯留タンク（貯留手段）４と、浄水器５と、浄水タンク６とから概略構成されている。
【００３４】
また、この水または消毒薬添加水溶液循環システムにおける水または消毒水の流れ（循環経路）は、図１に示す実施の形態で説明した電解水の流れとほぼ同等であり、水または水に消毒薬を添加した消毒水は、消毒水貯留タンクから消毒室３に流入して使用され、その使用後の排水は、消毒室３から貯留タンク４、浄水器５、浄水タンク６に順次循環されて、再び消毒水貯留タンクに導入される。
【００３５】
以上説明した水または消毒薬添加水溶液循環システムによれば、水または水に直接消毒薬を添加した消毒水を、消毒室で使用して、その使用後の排水を浄水して再利用できるので、特に災害現場等において、限られた少量の水で、大勢の被災者や多量の物品等を消毒することが可能となる。しかも、使用後の各排水を外部に排出しないので、環境の汚染を防ぐことができる。
【００３６】
また、以上説明した本発明の実施の形態に係る電解水ならびに水または消毒薬添加水溶液循環システムは、基本的な実施の形態を示したものであり、この実施の形態に拘束されるものではない。例えば、図１に示す実施の形態では、人や物品等を消毒する消毒室を１個形成する形態を説明したが、使用される頻度に応じて適宜の数を形成することができる。また同様に、図２に示す実施の形態では、消毒室と洗浄室とが各１個形成される形態を説明したが、使用される頻度に応じて適宜の数を形成してもよい。
また、水を一時的に貯留する浄水タンクを構成品とする形態を説明したが、設置場所等の制限により浄水タンクが設置できない場合等においては、この浄水タンクを省いて構成し、浄水器で浄水した水を直接電解水生成機または消毒水貯留タンクに流入させることも考慮できる。
【００３７】
【発明の効果】
以上説明したように、請求項１に記載した電解水循環システムの発明によれば、特に災害現場等において、被災者や汚染した物品等を、酸性水、アルカリ性水または次亜塩素酸ナトリウム水のいずれかを使用して消毒または洗浄を可能にすると共に、使用後の排水と未使用の酸性水、アルカリ性水または次亜塩素酸ナトリウム水のいずれかとの混合水を浄水して、電解水生成器に戻し再び電解水を生成して再利用するので、限られた少量の水を有効に活用できると共に、使用した排水が外部に排出されないので、環境の汚染を防ぐことができる。
【００３８】
請求項２に記載した電解水循環システムの発明によれば、特に災害現場等において、被災者や汚染した物品等を、一方では酸性水または次亜塩素酸ナトリウム水を使用して消毒をすると共に、他方ではアルカリ性水を使用して洗浄して、それぞれの排水の混合水を浄水して、電解水生成機に戻し再び電解水を生成して再利用するので、限られた少量の水を更に有効に活用できると共に、使用した排水が外部に排出されないので、環境の汚染を防ぐことができる。
【００３９】
請求項３に記載した電解水循環システムの発明によれば、浄水器で浄水した水を一時的に貯留する浄水タンクを備えたので、電解水を必要な時、所定量の水を浄水タンクから電解水生成機に流入させ電解水を生成することができる。
【００４０】
請求項４に記載した電解水循環システムの発明によれば、電解水生成機で生成された酸性水または次亜塩素酸ナトリウム水を、人や物品等を消毒する消毒手段として供給することができる。
【００４１】
請求項５に記載した電解水循環システムの発明によれば、電解水生成機で生成された酸性水または次亜塩素酸ナトリウム水を、人や物品等を消毒する消毒手段として供給すると共に、酸性水と同時に生成されたアルカリ性水を、人や物品等を洗浄する洗浄手段として供給することができる。
【００４２】
請求項６に記載した電解水循環システムの発明によれば、移動可能なシステムに構成したので、人や物品等の消毒または洗浄が必要な場所に移動して処理することが可能であり、特に災害が発生した場合、発生現場に移動でき、汚染された被災者や物品等の消毒または洗浄が可能となり実用上有用である。
【００４３】
請求項７に記載した水または消毒薬添加水溶液循環システムの発明によれば、特に災害現場等において、被災者や汚染した物品等を、水または水に消毒薬を添加した消毒水を使用して消毒を可能にすると共に、使用後の排水を浄水して、再び消毒水または水を再利用するので、限られた少量の水を有効に活用できると共に、使用した排水が外部に排出されないので、環境の汚染を防ぐことができる。
【図面の簡単な説明】
【図１】図１は、本発明の実施の形態に係る電解水循環システムにおいて循環する電解水の流れを示す模式図である。
【図２】図２は、本発明の他の実施の形態に係る電解水循環システムにおいて循環する電解水の流れを示す模式図である。
【符号の説明】
１、１０　　電解水循環システム
２　　　　　電解水生成機
２ａ　　　　酸性水または次亜塩素酸ナトリウム水の供給部
２ｂ　　　　アルカリ性水の供給部
３　　　　　消毒室（消毒手段）
４　　　　　貯留タンク（貯留手段）
５　　　　　浄水器
６　　　　　浄水タンク
７　　　　　洗浄室（洗浄手段）
【図１】
2004113970.tif 000003
【図２】
2004113970.tif 000004